(57)【要約】  本発明によれば、電動デバイスを有するひげ剃り器（１８）のためのトレイ（１０）は、ベース（１２）、少なくとも１つの係合構造（１４）、及び少なくとも１つの突起物（１６）を含む。ベースは、ひげ剃り器の長さ及び幅とそれぞれ少なくとも同程度の長さ及び幅を有している。ベースは、高さをも有している。１つまたは複数の係合構造は、ひげ剃り器をトレイに解放可能に確保するように動作可能である。１つまたは複数の突起物はベースから高さ方向に延び、電動デバイスを制御するひげ剃り器上のスイッチ（２４）の実質的に直近に位置決めされている。１つまたは複数の突起物は、ひげ剃り器が１つまたは複数の係合構造内に解放可能に確保された時に、少なくともスイッチの高さと同程度の高さまで延び、電池駆動デバイスの電源を過失的にオンにしてしまうような外部の力がスイッチと接触しないように保護する。
2008534235.tif 000002
【特許請求の範囲】
【請求項１】
電動デバイスを有するひげ剃り器（１８）のためのトレイ（１０）であって、
ベース（１２）と、
前記ベース（１２）に結合され、前記ひげ剃り器（１４、１８）を解放可能に所定位置に確保するように動作可能な係合構造（１４）と、
を含み、
前記トレイ（１０）が更に、前記ベース（１２）から高さ方向に延びる少なくとも１つの突起物（１６）を含み、前記少なくとも１つの突起物（１６）は、前記電動デバイスを制御するスイッチ（２４）の実質的に直近に位置決めされ、前記ひげ剃り器（１８）が前記少なくとも１つの係合構造（１４）内に解放可能に確保されている時には少なくとも前記スイッチ（２４）の高さと同程度の高さまで延び、
前記ひげ剃り器（１８）は、前記係合構造（１４）を受入れるための開口を含む、
ことを特徴とするトレイ（１０）。
【請求項２】
前記少なくとも１つの突起物（１６）は、前記ひげ剃り器（１８）が前記少なくとも１つの係合構造（１４）内に解放可能なように確保された時に、前記ひげ剃り器（１８）の電動デバイスが活動化されるのを禁止するように動作可能であることを特徴とする請求項１に記載のトレイ（１０）。
【請求項３】
前記トレイ（１０）は少なくとも２つの突起物（１６）を含み、前記突起物（１６）の少なくとも一方は、前記ひげ剃り器（１８）が前記少なくとも１つの係合構造（１４）内に解放可能なように確保された時に、前記ひげ剃り器（１８）の何れかの側に配置されることを特徴とする請求項１に記載のトレイ（１０）。
【請求項４】
前記少なくとも１つの突起物（１６）は、前記係合構造（１４）と一体に形成されていることを特徴とする請求項１に記載のトレイ（１０）。
【請求項５】
前記ひげ剃り器（１８）のレザーカートリッジ（２２）を受け入れるように動作可能な前側部分（２６）と、前記ひげ剃り器（１８）のハンドル（２０）の下側に位置するように動作可能な後側部分（２８）を含む、
ことを特徴とする請求項１に記載のトレイ（１０）。
【請求項６】
前記ベース（１２）は長さ（Ｌ）及び幅（Ｗ）を有し、前記ベース（１２）の長さ（Ｌ）及び幅（Ｗ）は、前記ひげ剃り器（１８）の長さ（Ｌ１）及び幅（Ｗ１）とそれぞれ少なくとも同程度の長さ及び幅であり、前記ベース（１２）は更に高さ（Ｈ）を有していることを特徴とする請求項１に記載のトレイ（１０）。
【請求項７】
電動デバイスを有するひげ剃り器（１８）と組合せるトレイ（１０）であって、
ベース（１２）と、
前記ベース（１２）に結合され、前記ひげ剃り器（１４）を所定位置に解放可能に確保するように動作可能な少なくとも１つの係合構造（１８）と、
を含み、
前記トレイ（１０）が更に、前記ひげ剃り器（１４、１８）が前記少なくとも１つの係合構造（１４）内に解放可能なように確保された時に、前記ひげ剃り器（１４、１８）の電動デバイスを制御するスイッチ（２４）が外部の力と接触しないように保護する保護手段を含み、
前記ひげ剃り器（１８）が、前記係合構造（１４）を受入れるための開口を含む、
ことを特徴とするトレイ（１０）。
【請求項８】
前記ベース（１２）は長さ（Ｌ）及び幅（Ｗ）を有し、前記ベース（１２）の長さ（Ｌ）及び幅（Ｗ）は、前記ひげ剃り器（１８）の長さ（Ｌ１）及び幅（Ｗ１）とそれぞれ少なくとも同程度の長さであることを特徴とする請求項７に記載のトレイ（１０）。
【請求項９】
前記ベースは高さ（Ｈ）を有し、
前記スイッチ（２４）を保護する前記保護手段は前記ベース（１２）から高さ方向に延びる少なくとも１つの突起物（１６）を含み、前記少なくとも１つの突起物（１６）は前記電動デバイスを制御するスイッチ（２４）に近接して位置決めされていることを特徴とする請求項７に記載のトレイ（１０）。
【発明の詳細な説明】
【技術分野】
【０００１】
本発明は、一般的には、ひげ剃り器用トレイに関し、特定的には電動（パワード）デバイスを内蔵しているひげ剃り器用トレイに関する。
【背景技術】
【０００２】
近代的なひげ剃り器は、レザーカートリッジ内に配置された複数のブレードを含むことができる。レザーカートリッジ自体は、使用時にハンドル上に取付けられる。幾つかの安全剃刀は再使用可能なハンドル上に取り外し可能なように取付けられた使い捨てレザーカートリッジを有し、他の安全剃刀は単一の、使い捨てユニットとして製造されたハンドル及びレザーカートリッジを有している。
【０００３】
電動機によって回転させられる偏心した重りのようなある電動デバイスが、ハンドル内に収納されている。電動デバイスは、典型的には、密着し、滑らかな、そして快適なひげ剃りが行われるようにひげ剃り器の能力を高めるか、またはレザーがひげ剃りとは完全に別の機能（例えば、ラジオ）を遂行することを可能にするようになっている。殆どの場合、電動デバイスは、交換可能な、または再充電可能な電池及びスイッチを使用する必要がある。スイッチは、典型的にはオンとオフとの間を、または電動デバイスが種々の設定を有している場合には、これらの異なる設定に対応する位置の何れか１つの間をトグルすることができる。
【０００４】
電池の寿命は限られている。従って、ユーザが、予測されるよりも屡々電池を交換または再充電しなければならないのを回避するために、交換可能な（もしくは再充電可能な）電池に蓄えられているエネルギを可能な限り効率的に使用できるようにすることが有利である。不幸にも、多くの場合、ユーザが電動デバイスの機能の便益を受けていない時に、電動デバイスが過失的にスイッチオンされる。
【発明の開示】
【発明が解決しようとする課題】
【０００５】
以上に鑑みて、本発明の目的は、従来技術の既知の欠陥を解消することである。
【課題を解決するための手段】
【０００６】
本発明の一面によれば、電動デバイスを有するひげ剃り器のためのトレイは、ベース、少なくとも１つの係合構造、及び少なくとも１つの突起物を含む。ベースは、ひげ剃り器の長さ及び幅とそれぞれほぼ同程度の長さ及び幅を有している。ベースは、ある高さをも有している。１つまたは複数の係合構造は、ひげ剃り器をトレイに解放可能に確保するように動作可能である。１つまたは複数の突起物がベースから高さ方向に延び、またひげ剃り器上の電動デバイスを制御するスイッチの実質的に直近に位置決めされている。１つまたは複数の突起物は、ひげ剃り器が１つまたは複数の係合構造内に解放可能なように確保されている時に、少なくともスイッチの高さとほぼ同程度の高さまで延びる。
【０００７】
本発明の別の面によれば、少なくとも１つの突起物は、ひげ剃り器が少なくとも１つの係合構造内に解放可能なように確保されている時に、ひげ剃り器の電動デバイスを制御するスイッチが活動化されることを禁止するように動作可能である。
【０００８】
本発明の別の面によれば、トレイは少なくとも２つの突起物を有し、少なくとも一方の突起物はひげ剃り器の一方の側に配置され、少なくとも他の一方の突起物はひげ剃り器の第２の側に配置される。
【０００９】
本発明の１つの長所は、１つまたは複数の突起物がひげ剃り器の電動デバイスが活動化されるのを防ぎ、従って、ひげ剃り器が使用されていない時に電動デバイスが過失的に動作することによって電池の電力が浪費される可能性を低くすることである。
【００１０】
本発明の別の長所は、製品が工場から倉庫へ初期出荷される時に、１つまたは複数の突起物が、ひげ剃り器の電動デバイスが活動化されるのを防ぐことである。従って、ひげ剃り器の初期出荷中に販売パッケージ内で電動デバイスが活動化され、ユーザが枯渇した電池を含むブランド新製品を受け取る可能性が低くなる。
【００１１】
本発明のこれらの、及び他の長所は、以下の添付図面に基づく詳細な説明から明白になるであろう。
【発明を実施するための最良の形態】
【００１２】
図１及び１Ａを参照する。本発明のトレイ全体を番号１０で示している。トレイは、ベース１２、少なくとも１つの係合構造１４、及び少なくとも１つの突起物１６を含む。係合構造１４は、ひげ剃り器１８をトレイ１０内に解放可能に確保するように動作可能である。
【００１３】
電池駆動式デバイスが内蔵されている（隠されている）ひげ剃り器１８の一例を図２に示す。湿式ひげ剃り用レザーとも呼ばれることも多いひげ剃り器１８は、ハンドル２０及びカートリッジ２２を含む。ひげ剃り器１８は、長さ（“Ｌ１”）、幅（“Ｗ１”）、及び高さ（“Ｈ１”、図５参照）を限定し、電池駆動式デバイスを動作させるためのスイッチ２４を含んでいる。スイッチ２４はプッシュボタン型であることができ、繰り返して押すことにより電池駆動式デバイスがオンまたはオフになる。代替として、スイッチ２４はトグル型であることができ、この場合には、スイッチが１つの位置にある時に電池駆動式デバイスが活動化され、スイッチが第２の位置にある時に電池駆動式デバイスの電源がオフになる。図２にはトグル型のスイッチが示されているが、当分野においては数多くの他の型のスイッチが公知であるのでそれらの詳細に関する説明は省略するが、本発明が何等かの特定の型のスイッチを有するひげ剃り器と共に使用することに限定されるものではないことを理解されたい。スイッチ２４はハンドル上の何処に配置しても差し支えないが、このひげ剃り器１８がトレイ上に確保されている時に（例えば、図１Ａに示すように）、このひげ剃り器１８に不慣れなユーザがスイッチ２４を直ちに探知することができるようにスイッチ２４をハンドル上に配置することが好ましい。従って、スイッチ２４は露出されていることが多く、外部の力を受け易くなる。
【００１４】
図３−４に示すように、トレイ１０のベース１２は、長さ（“Ｌ”）、幅（“Ｗ”）、及び高さ（“Ｈ”）を有している。幾つかの実施の形態においては、トレイ１０はほぼ矩形であることができる。付加的に、または代替として、トレイ１０は輪郭を付けた形状を有することができる。典型的には、トレイ１０は、ひげ剃り器１８をその上に取付けた時に１つまたはそれ以上のレザーブレードをトレイ１０が効果的に保護するように、ひげ剃り器１８のレザーカートリッジ２２と相補するような形状及び大きさである前側部分２６を更に含む。トレイ１０は、典型的に、トレイ１０上に確保された時のひげ剃り器１８のハンドル２０の下側に位置する後側部分２８を更に含む。ひげ剃り器１８がトレイ１０上に確保されている時にトレイ１０がひげ剃り器１８全体の下側に位置するように、トレイ１０の長さ（“Ｌ”）はひげ剃り器１８の長さ（“Ｌ１”）を超えることが好ましい。しかしながら、本発明はそのように限定されるものではない。例えば、本発明の範囲から逸脱していない幾つかの実施の形態（図示してない）においては、ひげ剃り器１８がトレイ１０上に確保されている時に、ひげ剃り器１８のハンドル２０がトレイ１０の端３０を超えて延びても差し支えない。
【００１５】
図４−７を参照する。トレイ１０は、ひげ剃り器１８を選択的に受入れてトレイ１０に確保する係合構造１４を含む。例えば図４に示すように、係合構造１４は２つの突起物３２を含むことができる。各突起物３２はベース１２から上方に、レザーハンドル２０の両側に延びている。ひげ剃り器１８がトレイ１０上に配置されると、ひげ剃り器１８は突起物３２とベース１２との間に捕捉され、ベース１２上に確保される。しかしながら、本発明はこの例に限定されるものではない。ひげ剃り器１８は、ベース１２上の１つまたは複数の係合構造１４と相補的な１つまたはそれ以上の開口（図示してない）を含むことができる。これらの実施の形態においては、ひげ剃り器１８をトレイ１０上に配置すると、１つまたは複数の係合構造１４が１つまたは複数の開口の中に入ってひげ剃り器１８をトレイ１０に確保するようになる。更に、ある場合には、トレイ１０はひげ剃り器１８の長さ（“Ｌ１”）に沿う種々の位置においてベース１２から延び、ひげ剃り器１８をトレイ１０に確保するように動作可能な幾つかの係合構造１４を含むことができる。
【００１６】
図３−７を参照する。トレイ１０は更に、ひげ剃り器１８上のスイッチ２４が過失的に外部の力を受けないように保護する少なくとも１つの突起物１６を含む。突起物１６は、どのような適切な断面形状であることもでき（例えば、図３参照）、典型的には電池駆動式デバイスを作動させるスイッチ２４の直近に配置され（図５及び７参照）、そして少なくともスイッチ２４の高さとほぼ同程度の高さまでベース１２から上方に延びている（図５及び７参照）。この、またはこれらの突起物１６の位置、形状、及び高さは、この、またはこれらの突起物１６が保護する実際のスイッチ２４の位置に依存して変化する。例えば、図６及び７に示すような幾つかの実施の形態においては、ベース１２は、ひげ剃り器１８上のスイッチ２４が種々の角度からスイッチに接近し得る外部の力を過失的に受けないように保護する複数の突起物１６を含むことができる。例えば、図３に示すように、ベース１２は、スイッチ２４の何れかの側上に配置されている突起物１６を含むことができる。
【００１７】
図６及び７に示すような幾つかの場合には、１つまたは複数の突起物１６は、１つまたは複数の係合構造１４の１つまたはそれ以上と一体に形成することができる。例えば、図７に示すように、突起物１６は係合構造１４から上方に延びている。
【００１８】
動作を説明する。ユーザはひげ剃り器１８を使用しない時には、ベース１２上の係合構造１４にひげ剃り器１８を受入れさせるようにひげ剃り器１８をトレイ１０上に選択的に配置して、ひげ剃り器１８をトレイ１０に確保させる。ひげ剃り器１８がトレイ１０に確保されている場合には、ユーザが電池作動デバイスの便益を受けていないにも拘わらず外部の力が偶発的にスイッチ２４と接触して電池作動デバイスの電源を過失的にオンにしてしまうことがないように、１つまたはそれ以上の突起物１６がスイッチ２４を保護する。１つまたは複数の突起物１６は、使用されていない電池が望ましくなくその電力を枯渇させるのを事実上防ぐ。換言すれば、ひげ剃り器１８が少なくとも１つの係合構造１４内に解放可能なように確保されている時に、ひげ剃り器１８の電動デバイスを制御するスイッチ２４が外部の力と接触しないように保護する保護手段を図示し、説明したのである。
【００１９】
以上に説明した実施の形態に対して、特許請求の範囲に記載されている本発明の目的及び範囲から逸脱することなく多くの変更及び変化が可能である。
【図面の簡単な説明】
【００２０】
【図１】本発明の一実施の形態の斜視図である。
【図１Ａ】ひげ剃り器を乗せている図１のトレイの斜視図である。
【図２】電池駆動式デバイスを内蔵しているひげ剃り器の斜視図である。
【図３】図１に示すトレイの上面図である。
【図４】図１に示すトレイの側面図である。
【図５】ひげ剃り器を確保している図４のトレイの側面図である。
【図６】図１に示すトレイの後面図である。
【図７】ひげ剃り器を確保している図１のトレイの前面図である。
【図１】
2008534235.tif 000003
【図１Ａ】
2008534235.tif 000004
【図２】
2008534235.tif 000005
【図３】
2008534235.tif 000006
【図４】
2008534235.tif 000007
【図５】
2008534235.tif 000008
【図６】
2008534235.tif 000009
【図７】
2008534235.tif 000010
【国際調査報告】
2008534235.tif 000011
2008534235.tif 000012
2008534235.tif 000013